(57)【特許請求の範囲】
【請求項１】
搬送路により搬送されてきた紙幣を収容する紙幣収容装置であって、前面に開閉扉が設けられたケース内にスタッカ装置と、このスタッカ装置により横方向から押し込まれる紙幣をスプリングによって付勢された保持部材で横立ち状態に保持する紙幣金庫とが配設され、前記紙幣金庫の前面開口の下端部には板状の可動片がヒンジを介して起伏自在に取り付けられ、この可動片は、側端部に付勢部材である戻しばねが取り付けられ、常時は起立状態に保持されて前記スタッカ装置により押し込まれる紙幣の飛び出しを防止し、紙幣金庫内に集積した紙幣を摘んで水平方向に引き出す際に、紙幣の前端面の下部が当接して押す力により前記ヒンジ回りに回転して倒伏し、この可動片の上を通過させて紙幣を引き出した後に起立状態に自動復帰することを特徴とする紙幣収容装置。
【発明の詳細な説明】
【０００１】
【発明の属する技術分野】
本発明は、パチンコやスロットマシン等の遊技場で使用される紙幣収容装置に関する。
【０００２】
【従来の技術】
パチンコやスロットマシン等の遊技場においては、図４のように遊技機Ａを複数台並列配置していわゆる島を形成し、遊技機Ａの間には遊技媒体貸し機Ｂを配設してパチンコ玉や遊技用コイン等を貸し出すようにしてある。遊技媒体貸し機Ｂには紙幣挿入口が設けられ、この挿入口に所定の紙幣Ｃ例えば千円札を挿入すると、所定数のパチンコ玉や遊技用コイン等が排出される。遊技媒体貸し機Ｂに挿入された紙幣Ｃは、各遊技媒体貸し機Ｂに連結された紙幣搬送路Ｄ内に送り込まれ、この搬送路Ｄに沿って搬送されると共に搬送路Ｄの下流端部に配設された紙幣収容装置Ｅ内に取り込まれて集積される。
【０００３】
紙幣収容装置Ｅは、従来例えば図５に示すようにボックス型のケース１内の上部に制御装置２が取り付けられ、下部にはスタッカ装置３と紙幣金庫４とが配設されている。この紙幣収容装置Ｅにおいては、各遊技媒体貸し機Ｂに連結された搬送路Ｄにより送られてきた紙幣Ｃがスタッカ装置３により紙幣金庫４に押し込まれ、保持部材５により横立ち状態にて保持される。保持部材５はスプリング６を介して付勢されており、紙幣Ｃが増えるにつれてスプリング６に抗して徐々に移動し、紙幣Ｃが所定枚数に達すると検出センサ（図略）により検出される。検出信号は前記制御装置２に入力され、前面の表示部２ａに点灯等の所定の表示がなされる。この表示を見た係員は、ケース１の開閉扉１ａを解錠して開き、前記紙幣金庫４に集積された紙幣Ｃの上端部を指で摘んで持ち上げケース１外に取り出す。
【０００４】
【発明が解決しようとする課題】
上記従来の紙幣収容装置Ｅによると、ケース１内が狭いため手を差し入れて紙幣金庫４から所定枚数の紙幣Ｃを摘んで持ち上げる作業がし難く、又その作業のために紙幣金庫４と制御装置２との間にかなり広いスペースを確保しなければならず、ケース１が大型化して紙幣収容装置Ｅ全体をコンパクトに製作できない問題がある。更に、紙幣Ｃを上から摘んだ際に摘みが浅いため不安定であり、紙幣Ｃをケース１から取り出す際に手から滑って落下する等の事態が生じていた。
【０００５】
本発明は、このような従来の不都合を解消するためになされ、紙幣金庫から所定枚数の紙幣を取り出し易くすると共に、紙幣金庫と制御装置との間に広いスペースを必要とせず、且つケース外に取り出す際に紙幣の落下を未然に防止できるようにした紙幣収容装置を提供することを目的とする。
【０００６】
【課題を解決するための手段】
この目的を達成するための技術的手段として、本発明は、搬送路により搬送されてきた紙幣を収容する紙幣収容装置であって、前面に開閉扉が設けられたケース内にスタッカ装置と、このスタッカ装置により横方向から押し込まれる紙幣をスプリングによって付勢された保持部材で横立ち状態に保持する紙幣金庫とが配設され、前記紙幣金庫の前面開口の下端部には板状の可動片がヒンジを介して起伏自在に取り付けられ、この可動片は、側端部に付勢部材である戻しばねが取り付けられ、常時は起立状態に保持されて前記スタッカ装置により押し込まれる紙幣の飛び出しを防止し、紙幣金庫内に集積した紙幣を摘んで水平方向に引き出す際に、紙幣の前端面の下部が当接して押す力により前記ヒンジ回りに回転して倒伏し、この可動片の上を通過させて紙幣を引き出した後に起立状態に自動復帰することを特徴とする紙幣収容装置を要旨とするものである。
【０００７】
【発明の実施の形態】
次に、本発明に係る紙幣収容装置の実施形態を添付図面に基づいて説明（従来の構成部材に対応するものは同一符号）する。
図１において、紙幣搬送路Ｄの端部に取り付けられた紙幣収容装置Ｅは、ケース１内の上部に制御装置２が取り付けられ、下部にはスタッカ装置３と紙幣金庫４とが配設され、ケース１の前面には開閉扉１ａが設けられている。
【０００８】
紙幣金庫４は、図２のように前記スタッカ装置３により押し込まれる紙幣Ｃをスプリング６によって付勢された保持部材５で横立ち状態に保持する。７は紙幣金庫４の上部に横架されたガイドバーであり、保持部材５の上部に形成された二股状の係合部５ｂが摺動可能に係合しており、これにより保持部材５の移動を円滑にガイドすると共に、紙幣Ｃの上方への飛び出しを防止している。
【０００９】
この紙幣金庫４は、開口前面の下端部に板状の可動片８がヒンジ９を介して起伏自在に取り付けられると共に、この側端部に付勢部材である戻しばね１０（図３）が取り付けられている。可動片８は、常時は起立状態に保持されて紙幣Ｃの前方への飛び出しを防止しており、紙幣金庫４から所定枚数の紙幣Ｃを取り出す際は、図３のように戻しばね１０に抗して手前側に回転して倒伏し、紙幣Ｃを引き出せるようにしてある。
【００１０】
又、図２のように紙幣収容金庫４の前面側部には切り欠き４ａを押し込み孔４ｂに連通して形成し、前記保持部材５の前端上部にも切り欠き５ａを形成し、紙幣Ｃの取り出し時にこれら切り欠き４ａ、５ａを利用して紙幣Ｃの側端部を摘み易いようにしてある。
【００１１】
このように構成された本発明に係る紙幣収容装置Ｅは、前記搬送路Ｄにより搬送されてきた紙幣Ｃがスタッカ装置３により紙幣金庫４内に押し込まれ、保持部材５により保持されてその枚数が増大していく。保持枚数の増大につれて保持部材５はスプリング６を押し縮めながらガイドバー７に沿って移動し、紙幣Ｃが所定の枚数になると例えば光学的検出センサ（図略）により検出される。
【００１２】
この検出センサからの検出信号が前記制御装置２に入力され、前面の表示部２ａに点灯等の表示がなされる。この表示はケース１の開閉扉１ａの透明窓１ｂを通して外部から見えるようになっており、係員は開閉扉１ａを解錠して開き、前記可動片８を一方の手指で引っ掛けてヒンジ９回りに回転させることで手前側に倒し、水平に伏した状態を保持して他方の手指で紙幣金庫４内の紙幣Ｃの手前側端部を摘んで水平方向に引き出すことができる。
【００１３】
この際、前記のように紙幣金庫４の切り欠き４ａ及び保持部材５の切り欠き５ａを介して紙幣金庫４内の紙幣Ｃを手指で確実に摘めるため、紙幣金庫４からの取り出しが安定良く行え、紙幣の落下を未然に防止することができる。又、紙幣Ｃを手前に引き出すだけで紙幣金庫４から取り出せるため、従来のように紙幣金庫４と制御装置２との間に広いスペースを確保する必要がなくなり、ケース１を小型化することが可能になる。
【００１４】
又、前記のように紙幣Ｃを引き出す前に可動片８を手指で倒伏させるのではなく、紙幣Ｃを引き出す際に、その前端面の下部が可動片８に当接して押す力により可動片８がヒンジ９回りに回転して倒伏するように構成すれば、紙幣Ｃの引き出しと同時に可動片８の上を通過させて紙幣Ｃを引き出すことが可能となる。従って、片手で簡単に紙幣を引き出せることになる。
【００１５】
このようにして、紙幣金庫４から紙幣Ｃを引き出すと、可動片８は戻しばね１０の復元力によってヒンジ９回りに逆回転され、紙幣金庫４の前端面に当接して起立状態に自動復帰する。
【００１６】
紙幣Ｃの引き出しは、前記のように制御装置２の表示部２ａに表示がなされた時とするが、場合によってはその表示前に紙幣Ｃを紙幣金庫４から取り出すことも可能であり、その引き出し方法は全く同じである。
【００１７】
尚、上記実施形態では紙幣金庫４に起伏自在の可動片８を設けた例を説明したが、これに限定されることなく例えばスライド部材、或は棒状の遮断部材等適宜の開閉手段を設けて実施することが可能である。
【００１８】
【発明の効果】
以上説明したように、本発明によれば、紙幣収容装置のケース内に配設された紙幣金庫の前端側を開閉可能に形成し、紙幣金庫内に集積した紙幣の側端部を摘んで水平方向に取り出せるようにしたので、紙幣の取り出し作業が容易になると共に、取り出す際に紙幣の落下を未然に防止することができる。又、紙幣金庫の上方に広いスペースを必要としないことから、ケースの小型化が可能となり紙幣収容装置をコンパクトに製作できる等の効果を奏する。
【図面の簡単な説明】
【図１】本発明に係る紙幣収容装置の紙幣取り出し時の状態を示す斜視図
【図２】紙幣金庫の可動片起立時の状態を示す斜視図
【図３】紙幣金庫の可動片を倒伏して紙幣を取り出す状態を示す斜視図
【図４】紙幣収容装置の配設位置を示す概略平面図
【図５】従来の紙幣収容装置における紙幣取り出し時の状態を示す斜視図
【符号の説明】
１…ケース
２…制御装置
３…スタッカ装置
４…紙幣金庫
５…保持部材
６…スプリング
７…ガイドバー
８…可動片
９…ヒンジ
１０…戻しばね
【図１】
0004023974.tif 000002
【図２】
0004023974.tif 000003
【図３】
0004023974.tif 000004
【図４】
0004023974.tif 000005
【図５】
0004023974.tif 000006